(57)【要約】 【課題】  電子ファインダと光学ファインダとを切り替えて、同一のファインダに被写体像を表示すると共に、撮像状態等に応じて２つのファインダを切り替えることができる電子撮像装置を提供する。【解決手段】  固体撮像素子３が撮像を行っていない第１のモードにおいて、被写体からの光は光学ファインダに入射する。固体撮像素子３が撮像を行い、画像信号を生成している第２のモードにおいて、被写体からの光は光学ファインダに入射し、ファインダには、光学ファインダによって形成された像と、電子表示装置５によって形成された像とが重なって表示される。固体撮像素子３が生成した画像信号を記録している第３のモードにおいて、被写体からの光は光学ファインダに入射せず、ファインダには、電子表示装置５によって形成された像が表示される。【選択図】    図１
2007028390.tif 000002
【特許請求の範囲】
【請求項１】
被写体を撮像して画像信号を生成する撮像素子と、
撮像条件を示す撮像情報を生成する情報生成手段と、
被写体像を表示するファインダと、
前記被写体からの光を前記ファインダへ導き、前記被写体像を前記ファインダに光学的に表示させる光学ファインダ機構と、
前記画像信号に基づいた前記被写体像と、前記撮像情報に基づいた前記撮像条件とを、前記ファインダから視覚可能に表示する情報表示手段と、
前記被写体からの光が前記光学ファインダ機構に入射する状態と、入射しない状態とを切り替える状態切替手段と、
を有し、
前記撮像素子が撮像を行っていない第１のモードにおいて、前記状態切替手段は前記被写体からの光を前記光学ファインダ機構に入射させ、
前記撮像素子が撮像を行い、前記画像信号を生成している第２のモードにおいて、前記状態切替手段は前記被写体からの光を前記光学ファインダ機構に入射させ、前記ファインダは、前記光学ファインダ機構によって形成された像と、前記情報表示手段によって形成された像とを重ねて表示し、
前記撮像素子が生成した前記画像信号を記録している第３のモードにおいて、前記状態切替手段は前記被写体からの光を前記光学ファインダ機構に入射させず、前記ファインダは、前記情報表示手段によって形成された像を表示する
ことを特徴とする電子撮像装置。
【請求項２】
前記画像信号に基づいて、輝度レベルが所定値以上となっている画像中の領域を示すゼブラ情報を生成するゼブラ情報生成手段をさらに有し、
前記第２のモードにおいて、前記情報表示手段は、前記ゼブラ情報に基づいたパターンを表示し、前記ファインダは、前記光学ファインダ機構によって形成された像と、前記情報表示手段によって形成された前記パターンとを重ねて表示する
ことを特徴とする請求項１に記載の電子撮像装置。
【請求項３】
前記撮像素子の入射光量を検出する光量検出手段をさらに有し、前記第３のモードにおいて、前記光量検出手段によって検出された前記入射光量が所定量以上の場合に、前記状態切替手段は前記被写体からの光を前記光学ファインダ機構に入射させ、前記ファインダは、前記光学ファインダ機構によって形成された像と、前記情報表示手段によって形成された像とを重ねて表示することを特徴とする請求項１または請求項２に記載の電子撮像装置。
【発明の詳細な説明】
【技術分野】
【０００１】
本発明は、被写体を撮像して画像信号を生成する電子撮像装置に関し、特に光学ファインダと電子ファインダの両方、または選択されたどちらか一方によって形成される像を同一の画面に表示するファインダを有する電子撮像装置に関する。
【背景技術】
【０００２】
電子スチルカメラやビデオカメラ等の、被写体像を撮像素子により光電変換し、画像信号を生成する電子撮像装置では、撮像レンズを通った被写体像を光学的に観察するための光学ファインダが用いられている。また、撮像レンズを通った被写体像を光電変換した画像信号に基づいて電子表示装置に表示された被写体像をファインダに表示する電子ファインダも採用されている。
【０００３】
光学ファインダの長所は、撮像素子が動作していない状態でも被写体像を表示可能であり、省電力であるという点である。また、被写体像を光学的にファインダに表示しているので、電子ファインダに比較して、被写体の色を正確にファインダに表示できること、および表示される像が高解像であり、高精度に焦点の調整ができること等がある。
【０００４】
一方、電子ファインダの長所は、ファインダ画像を撮像素子の信号から生成して表示しているので、撮像素子により撮影されている画像のチェックができ、どのような画像が記録されるのかを確認できることや各種の撮像情報を表示できることである。
【０００５】
特許文献１には、光学ファインダと電子ファインダの両方を有しており、２つのファインダ機構を切り替えてファインダに表示する電子カメラが開示されている。しかし、特許文献１には、電子撮像装置の撮像状態等に応じて、光学ファインダと電子ファインダを自動的に切り替えて、被写体像を同一のファインダに表示することについては開示されていない。
【特許文献１】特公平２−５５９９１号公報
【発明の開示】
【発明が解決しようとする課題】
【０００６】
そこで、本発明は、電子ファインダと光学ファインダとを切り替えて、同一のファインダに被写体像を表示すると共に、撮像状態等に応じて２つのファインダを切り替えることができる電子撮像装置を提供することを目的とする。
【課題を解決するための手段】
【０００７】
本発明は、上記の課題を解決するためになされたもので、請求項１に記載の発明は、被写体を撮像して画像信号を生成する撮像素子と、撮像条件を示す撮像情報を生成する情報生成手段と、被写体像を表示するファインダと、前記被写体からの光を前記ファインダへ導き、前記被写体像を前記ファインダに光学的に表示させる光学ファインダ機構と、前記画像信号に基づいた前記被写体像と、前記撮像情報に基づいた前記撮像条件とを、前記ファインダから視覚可能に表示する情報表示手段と、前記被写体からの光が前記光学ファインダ機構に入射する状態と、入射しない状態とを切り替える状態切替手段とを有し、前記撮像素子が撮像を行っていない第１のモードにおいて、前記状態切替手段は前記被写体からの光を前記光学ファインダ機構に入射させ、前記撮像素子が撮像を行い、前記画像信号を生成している第２のモードにおいて、前記状態切替手段は前記被写体からの光を前記光学ファインダ機構に入射させ、前記ファインダは、前記光学ファインダ機構によって形成された像と、前記情報表示手段によって形成された像とを重ねて表示し、前記撮像素子が生成した前記画像信号を記録している第３のモードにおいて、前記状態切替手段は前記被写体からの光を前記光学ファインダ機構に入射させず、前記ファインダは、前記情報表示手段によって形成された像を表示することを特徴とする電子撮像装置である。
【０００８】
請求項２に記載の発明は、請求項１に記載の電子撮像装置において、前記画像信号に基づいて、輝度レベルが所定値以上となっている画像中の領域を示すゼブラ情報を生成するゼブラ情報生成手段をさらに有し、前記第２のモードにおいて、前記情報表示手段は、前記ゼブラ情報に基づいたパターンを表示し、前記ファインダは、前記光学ファインダ機構によって形成された像と、前記情報表示手段によって形成された前記パターンとを重ねて表示することを特徴とする。
【０００９】
請求項３に記載の発明は、請求項１または請求項２に記載の電子撮像装置において、前記撮像素子の入射光量を検出する光量検出手段をさらに有し、前記第３のモードにおいて、前記光量検出手段によって検出された前記入射光量が所定量以上の場合に、前記状態切替手段は前記被写体からの光を前記光学ファインダ機構に入射させ、前記ファインダは、前記光学ファインダ機構によって形成された像と、前記情報表示手段によって形成された像とを重ねて表示することを特徴とする。
【発明の効果】
【００１０】
本発明によれば、電子ファインダと光学ファインダとを切り替えて、同一のファインダに被写体像を表示すると共に、撮像状態等に応じて２つのファインダを切り替えることができるという効果が得られる。また、第１のモードでは光学ファインダによって形成された被写体像がファインダに表示されるので、高解像の被写体像を確認しながら画角および焦点の調整を高精度に行うことができる。また、撮像素子が撮像を行っていないので、電子撮像装置の電力消費量を抑えることができる。
【００１１】
第２のモードでは光学ファインダによって形成された被写体像がファインダに表示されるので、第１のモードと同様に、高解像の被写体像を確認しながら画角および焦点の調整を高精度に行うことができる。また、撮像情報がファインダに表示されるので、それを確認しながら撮影条件の設定を行うことができる。第３のモードでは被写体からの全光束が撮像素子に入射するので、感度の高い画像信号を記録することができる。
【発明を実施するための最良の形態】
【００１２】
以下、図面を参照し、本発明の実施形態を説明する。図１は、本発明の一実施形態による電子撮像装置の構成を示している。本実施形態による電子撮像装置は中空ペンタ（中空ペンタプリズム）を備えており、上部（図１の領域Ａ）に設けられた構成がファインダ部であり、下部（図１の領域Ｂ）に設けられた構成が撮像装置部である。図１において、撮像レンズ１は簡略化のため１枚レンズとして示されているが、当然複数枚のレンズであってもよい。撮像レンズ１に入射した被写体からの光が直進し、結像する位置に固体撮像素子３が配置されている。固体撮像素子３は被写体を撮像し、撮像面に結像した被写体像を光電変換して画像信号を生成する。
【００１３】
撮像レンズ１と固体撮像素子３の間には半透過型の主ミラー２（状態切替手段）が配置されている。主ミラー２の末端に設けられたミラー駆動部２ａ（状態切替手段）は、主ミラー２を支持すると共に、図１の紙面に垂直な回動軸を中心として主ミラー２を回動させる回動支持機構を有している。電源がOFFのとき、主ミラー２は、図１に示されるように、撮像レンズ１から固体撮像素子３へ直進する光を遮る位置に配置される。この状態をダウンと呼ぶことにする。
【００１４】
主ミラー２で反射された光は焦点板８で結像され、中空ペンタ７および半透過型ペンタ反射鏡９を経由して接眼レンズ１０に入射する。接眼レンズ１０は、被写体像を表示するファインダの構成部品である。上記の経路で接眼レンズ１０に入射した被写体像を、接眼レンズ１０を通して光学的に観察することが可能である。中空ペンタ７、焦点板８、および半透過型ペンタ反射鏡９は、被写体からの光をファインダへと導き、被写体像をファインダに光学的に表示させる光学ファインダ（光学ファインダ機構）を構成している。
【００１５】
このように、固体撮像素子３に駆動電力が供給されておらず、固体撮像素子３が撮像を行っていない状態（第１のモード）では、光学ファインダによって形成される像のみがファインダに表示される。第１のモードにおいては、固体撮像素子３の電力を消費せずに、ファインダで被写体像の観察を行うことができ、画角および焦点合わせを行うことができる。
【００１６】
電源がONになると、固体撮像素子３の撮像面に結像された像が電気信号に変換され、信号処理部４に送られる。信号処理部４は、固体撮像素子３によって生成された画像信号に対して各種の画像処理を施す。信号処理部４は、撮像条件を示すゼブラ（ゼブラパターン）やステータス情報を生成し、画像信号に重畳する機能も有している。ゼブラとは、画像中で輝度が飽和し、白飛びが発生する可能性がある部分に付加される斜め線（縞状パターン）等のことである。また、ステータス情報とは、シャッタースピード（シャッター速度）、絞り、レンズ位置、バッテリー残量、および画像信号の記録状態等を示す情報である。信号処理部４は内部に記録媒体を備えており、画像信号を記録する機能も有している。
【００１７】
信号処理部４によって処理された画像信号は電子表示装置５（情報表示手段）へ出力される。電子表示装置５は電子ファインダを構成しており、ファインダの接眼レンズ１０から見て、中空ペンタ７の背後に配置されている。この電子表示装置５は、画像信号に基づいた被写体像と上記の撮像条件（ゼブラ情報に基づいたパターンやステータス情報）とを重ねて表示する。電子表示装置５によって形成された像は、接眼レンズ１０を通して視覚可能である。
【００１８】
ファインダの接眼レンズ１０には、主ミラー２によって反射され、光学ファインダによって形成された高画質な光学ファインダの像と、電子表示装置５により表示された像とが重ね合わされて表示される。電子撮像装置の電源がONの状態で、固体撮像素子３が撮像を行っているが、画像の記録を行っていない状態（第２のモード）では、高画質な画像により明るさや色合い等が調節可能であり、ゼブラやステータス情報といった各種の撮像情報（撮影情報）が付加された像が観察可能である。電源のON／OFFの切替は、電源釦１２の押下によって行われ、画像の記録のON／OFFの切替は、記録釦１１の押下によって行われる。
【００１９】
記録釦１１が押下され、画像の記録が行われていない状態から画像の記録が行われる状態になると、ミラー駆動部２ａは主ミラー２を回動させ、図２に示されるように、撮像レンズ１から固体撮像素子３へ直進する光を遮らない位置に主ミラー２を配置させる。この状態をアップと呼ぶことにする。固体撮像素子３が生成した画像信号を信号処理部４が記録している状態（第３のモード）では、撮像レンズ１を通った光は全て固体撮像素子３に到達する。これにより、画像の記録時には、撮影感度の高い良好な画像を取得することができる。
【００２０】
ただし、記録釦１１が押下され、画像の記録がONになった状態でも、固体撮像素子３に入射する光量がある一定量以上だった場合には、主ミラー２がアップとならないような制御が行われる。よって、光量が十分なときには、撮影者は、接眼レンズ１０から観察できる像が高画質な状態で撮影を行うことができる。また、撮影環境が暗くなり、固体撮像素子３に入射する光量が、予め定めた閾値未満になった場合には、主ミラー２がアップとなり、逆に撮影環境が明るくなって、光量が閾値以上になった場合には、主ミラー２がダウンとなるような制御が行われる。
【００２１】
主ミラー２のアップ／ダウンに伴い、固体撮像素子３に入射する光量が変化するので、主ミラー２のアップ時の明るさ判定に用いられる閾値と、主ミラー２のダウン時の明るさ判定に用いられる閾値には補正が施されている。すなわち、主ミラー２のダウン時の閾値は主ミラー２のアップ時の閾値よりも小さく設定されている。２つの閾値を同一としてしまうと、光量が閾値未満のため、主ミラー２がダウンからアップに変化しても、光量が増加して閾値を超えてしまい、再度主ミラー２がダウンに変化し、以降主ミラー２がアップとダウンを繰り返してしまう場合がある。予め、ダウン／アップの変化による光量の変化を考慮して２つの閾値を適正に設定することによって、このような無駄な動作を防止することができる。
【００２２】
次に、信号処理部４の構成を説明する。図３は、信号処理部４の内部構成を示している。駆動信号生成部４１は、固体撮像素子３を駆動し、撮像タイミング等を制御するための駆動信号を生成し、固体撮像素子３へ出力する。また、駆動信号生成部４１は、ステータス情報としてのシャッタースピードの情報を撮像情報重畳部４６へ出力する。明るさ検出部４２（光量検出手段）は、固体撮像素子３から出力された画像信号の１フレームの輝度信号の総和等を算出することによって、固体撮像素子３に入射する光量を検出する。ゼブラ生成部４３（ゼブラ情報生成手段）は、固体撮像装置３から出力された画像信号に基づいて、輝度レベルが所定値以上となっている画像中の領域を検出し、ゼブラを表示するためのゼブラ情報を生成し、撮像情報重畳部４６へ出力する。
【００２３】
画像処理／フォーマット変換部４４は、画像信号に対してゲイン調整、ガンマ補正、シェーディング補正等の各種処理を行うと共に、電子表示装置５に表示可能なフォーマットに画像信号を変換する処理を行う。制御部４５は各構成の制御および各種の情報処理を行う。撮像情報重畳部４６は、画像処理／フォーマット変換部４４によって画像処理およびフォーマット変換が施された画像信号に対して、各種の撮像情報を重畳して電子表示装置５へ出力する。撮像情報として、駆動信号生成部４１からはシャッタースピードの情報が出力され、ゼブラ生成部４３からはゼブラ情報が出力される。
【００２４】
制御部４５は撮像レンズ１のズーム状態や図示せぬ絞りの状態、バッテリー残量を監視し、これらの情報を撮像情報として撮像情報重畳部４６へ出力する。また、どの情報を画像信号に重畳して電子表示装置５に表示するのかを撮影者が選択可能であり、図示せぬ操作部を介して、その選択に関する情報が入力される。制御部４５は、入力された情報に基づいた重畳情報選択信号を撮像情報重畳部４６へ出力する。撮像情報重畳部４６は、重畳情報選択信号に基づいて、表示する撮像情報を選択して、画像信号に重畳する。記録部４７は、画像信号が記録される記録媒体や、記録媒体に対して画像信号の記録（書き込み）を行う回路等を備えている。また、記録部４７は、画像信号の記録を行っているか否かを示す記録状態情報を撮像情報として撮像情報重畳部４６へ出力する。
【００２５】
次に、図４を参照し、本実施形態による電子撮像装置の動作を説明する。本実施形態による電子撮像装置は、固体撮像素子３に駆動電力が供給されていない状態でも使用可能な光学ファインダを備えており、図４に示される処理は、固体撮像素子３に駆動電力が供給されていないときでも常に繰り返される。電源がOFFの状態で電源釦１２が押下され、電源ONが指示される（ステップＳ４０１でＹＥＳの場合）と、制御部４５の制御によって、各部への駆動電力の供給が開始され、撮像が開始される。一方、電源がONの状態で電源釦１２が押下され、電源OFFが指示される（ステップＳ４０１でＮＯの場合）と、制御部４５の制御によって、各部への駆動電力の供給が停止され、撮像が停止される。
【００２６】
電源OFFが指示された場合、電子表示装置５への駆動電力の供給が停止され、ファインダへの被写体像の電子的な表示が停止される（ステップＳ４０２）。続いて、制御部４５は主ミラー２の状態を検出し、主ミラー２がアップの状態となっている場合には、主ミラー２の状態をダウンに変更することを指示する信号をミラー駆動部２ａへ出力する。ミラー駆動部２ａは、この信号に基づいて主ミラー２の状態をダウンとする（ステップＳ４０３）。これ以降、各部への電力の供給が停止される。これによって、光学ファインダによって形成された被写体像を接眼レンズ１０から観察することが可能となる。もし、主ミラー２の状態がダウンとなっていた場合には、ステップＳ４０３において主ミラー２の状態に変化はない。続いて、処理はステップＳ４０１に戻る。
【００２７】
一方、電源ONが指示された場合、制御部４５の制御によって各部への駆動電力の供給が開始され、撮像が開始されると共に、電子表示装置５への駆動電力の供給も開始され（ステップＳ４０４）、ファインダへの被写体像および撮像情報の表示が開始される。固体撮像素子３は、駆動信号生成部４１から出力される駆動信号に従って撮像を行い、画像信号を生成する。画像処理／フォーマット変換部４４は、ゲイン調整を含む各種の画像処理およびフォーマット変換を行い、画像信号を撮像情報重畳部４６へ出力する。撮像情報重畳部４６は画像信号に撮像情報を重畳し、電子表示装置５へ出力する。電子表示装置５は、画像信号に基づいて被写体像および撮像情報の画像を表示する（ステップＳ４０５）。既に電源がONとなっていた場合には、電子表示装置５による表示が継続する。
【００２８】
続いて、制御部４５は記録釦１１の状態を監視し、画像記録がONとなったか否かを判断する（ステップＳ４０６）。画像記録がOFFであった場合、制御部４５は主ミラー２の状態を検出し、主ミラー２がアップの状態となっている場合には、主ミラー２の状態をダウンに変更することを指示する信号をミラー駆動部２ａへ出力する。ミラー駆動部２ａは、この信号に基づいて主ミラー２の状態をダウンとする（ステップＳ４０７）。もし、主ミラー２の状態がダウンとなっていた場合には、ステップＳ４０７において主ミラー２の状態に変化はない。この状態では、電子表示装置５によって形成される被写体像および撮像情報の画像と、光学ファインダによって形成される光学的な被写体像とが重なってファインダに表示される。続いて、処理はステップＳ４０１に戻る。
【００２９】
一方、画像記録がONであった場合、固体撮像素子３から出力された画像信号は、記録部４７が備える記録媒体に記録される。制御部４５は、明るさ検出部４２によって検出された画像の明るさに基づいて、固体撮像素子３に入射する光量が所定の閾値以上であるか否かを判断する（ステップＳ４０８）。前述したように、この判断の際に用いられる閾値は、主ミラー２がアップの状態である場合とダウンの状態である場合とで、異なる値が設定されている。
【００３０】
光量が所定の閾値未満であった場合、制御部４５は主ミラー２の状態を検出し、主ミラー２がダウンの状態となっている場合には、主ミラー２の状態をアップに変更することを指示する信号をミラー駆動部２ａへ出力する。ミラー駆動部２ａは、この信号に基づいて主ミラー２の状態をアップとする（ステップＳ４０９）。これによって、光学ファインダの機能が停止され、電子表示装置５によって形成される被写体像および撮像情報の画像のみがファインダに表示される。もし、主ミラー２の状態がアップとなっていた場合には、ステップＳ４０９において主ミラー２の状態に変化はない。続いて、処理はステップＳ４０１に戻る。
【００３１】
一方、光量が所定の閾値以上であった場合、制御部４５は主ミラー２の状態を検出し、主ミラー２がアップの状態となっている場合には、主ミラー２の状態をダウンに変更することを指示する信号をミラー駆動部２ａへ出力する。ミラー駆動部２ａは、この信号に基づいて主ミラー２の状態をダウンとする（ステップＳ４１０）。これによって、光学ファインダの機能が開始され、電子表示装置５によって形成される被写体像および撮像情報の画像と、光学ファインダによって形成される被写体像とが重なってファインダに表示される。もし、主ミラー２の状態がダウンとなっていた場合には、ステップＳ４１０において主ミラー２の状態に変化はない。続いて、処理はステップＳ４０１に戻る。
【００３２】
なお、電子撮像装置内の各構成の配置は、図１に示される配置に限定されない。図５は、電子撮像装置の他の構成例を示している。図５では、図１と比較して、電子表示装置５の配置が変更されており、接眼レンズ１０と中空ペンタ７との間に半透過型ミラー１３が設けられ、その上部に電子表示装置５が配置されている。これにより、中空ペンタ７側からの像と電子表示装置５側からの像を重ね合わせることが可能となる。
【００３３】
また、図６はさらに別の構成例を示している。図６では、図１と比較して、光センサー１３がレンズ１の付近に設けられている。光センサー１３は、例えばフォトダイオードといった光電変換素子で構成されており、撮像時の周辺の明るさを電気信号に変換し、信号処理部４内部にある明るさ検出部４２に明るさ情報を送る。これによって、明るさ検出部４２は、固体撮像素子３からの信号を用いず、光センサー１３からの情報を用いて明るさを検出する。この場合、アップ時にダウンに切り替えるための閾値と、ダウン時にアップに切り替えるための閾値は同一でよい。光センサー１３からの明るさ情報は主ミラー２のアップ／ダウン状態の変化に影響しないため、閾値を補正する必要はない。
【００３４】
なお、本実施形態では、電源釦１２や記録釦１１に連動して自動的に動作モードが切り替わっているが、電子的な表示メニューを設け、マニュアル操作で動作モードを切り替える機能を付加してもよい。また、第２のモードにおいて、電子表示装置５には被写体像が表示されず、撮像情報の画像のみが表示されるようにしてもよい。さらに、画像信号を記録する記録部４７が信号処理部４に設けられているが、電子撮像装置とは別個の記録装置に画像信号を記録するようにしてもよい。
【００３５】
上述したように、本実施形態による電子撮像装置は光学ファインダおよび電子ファインダを備えると共に、被写体からの光が光学ファインダに入射する状態と、入射しない状態とを切り替える主ミラー２およびミラー駆動部２ａを備えており、電子ファインダと光学ファインダとを切り替えて、同一のファインダに被写体像を表示すると共に、撮像状態等に応じて２つのファインダを切り替えることができる。したがって、撮影時の環境や電子撮像装置の動作状態に応じた適切な条件を自動的に設定して撮像を行うことができる。
【００３６】
第１のモードでは固体撮像素子３が撮像を行っておらず、被写体からの光は、主ミラー２によって反射され、光学ファインダに入射する。この状態では、光学ファインダによって形成された被写体像がファインダに表示されるので、高解像の被写体像を確認しながら画角および焦点の調整を高精度に行うことができる。また、固体撮像素子３が撮像を行っていないので、電子撮像装置の電力消費量を抑えることができる。特に、本実施形態の第１のモードでは固体撮像素子３に駆動電力が供給されていないので、電子撮像装置の電力消費量をより抑えることができる。
【００３７】
第２のモードでは固体撮像素子３が撮像を行い、画像信号を生成しており、被写体からの光は主ミラー２によって反射され、光学ファインダに入射する。この状態では、光学ファインダによって形成された被写体像と、電子表示装置５によって形成された像（被写体像および撮像情報の画像の少なくとも一方）とが重なって、同一のファインダに表示される。光学ファインダによって形成された被写体像がファインダに表示されるので、第１のモードと同様に、高解像の被写体像を確認しながら画角および焦点の調整を高精度に行うことができる。固体撮像素子３に入射する光量は、主ミラー２の透過率に応じて決まるので、固体撮像素子３からの画像信号出力を参考にして絞りを調節することもできる。
【００３８】
また、撮像情報がファインダに表示されるので、それを確認しながら撮影条件の設定を行うことができる。例えば、ゼブラをファインダに表示することによって、入射光量を決めるための絞り等の条件の設定を、ファインダの画像を確認しながら容易に行うことができる。
【００３９】
第３のモードでは固体撮像素子３が生成した画像信号を記録部４７が記録媒体に記録しており、固体撮像素子３に入射する光量が所定量未満の場合には、被写体からの光は光学ファインダに入射せず、電子表示装置５によって形成された像のみがファインダに表示される。この状態では被写体から撮像レンズ１に入射した全光束が固体撮像素子３の撮像面に入射するので、感度の高い画像信号を記録することができる。また、記録される画像信号のレベルを正確に知ることができるので、絞りの調整を高精度に行うことができる。
【００４０】
第３のモードにおいて、固体撮像素子３に入射する光量が所定量以上の場合には、光学ファインダによって形成された被写体像と、電子表示装置５によって形成された像とが重なって、同一のファインダに表示される。固体撮像素子３に入射する光量が十分に大きい場合には、被写体から撮像レンズ１に入射した光束の全てを固体撮像素子３に入射させなくても、十分な感度の画像信号が得られる。したがって、光学ファインダによって形成された高解像の被写体像を確認しながら画像信号の記録を行うことができる。
【００４１】
以上、図面を参照して本発明の実施形態について詳述してきたが、具体的な構成はこれらの実施形態に限られるものではなく、この発明の要旨を逸脱しない範囲の設計変更等も含まれる。
【図面の簡単な説明】
【００４２】
【図１】本発明の一実施形態による電子撮像装置の構成を示す構成図である。
【図２】本発明の一実施形態による電子撮像装置の構成を示す構成図である。
【図３】本発明の一実施形態による電子撮像装置が備える信号処理部の構成を示すブロック図である。
【図４】本発明の一実施形態による電子撮像装置の動作の手順を示すフローチャートである。
【図５】本発明の一実施形態による電子撮像装置の他の構成を示す構成図である。
【図６】本発明の一実施形態による電子撮像装置の他の構成を示す構成図である。
【符号の説明】
【００４３】
１・・・撮像レンズ、２・・・主ミラー、２ａ・・・ミラー駆動部、３・・・固体撮像素子、４・・・信号処理部、５・・・電子表示装置、７・・・中空ペンタ、８・・・焦点板、９・・・半透過型ペンタ反射鏡、１０・・・接眼レンズ、１１・・・記録釦、１２・・・電源釦、１３・・・半透過型ミラー、４１・・・駆動信号生成部、４２・・・明るさ検出部、４３・・・ゼブラ生成部、４４・・・画像処理／フォーマット変換部、４５・・・制御部、４６・・・撮像情報重畳部、４７・・・記録部
【図１】
2007028390.tif 000003
【図２】
2007028390.tif 000004
【図３】
2007028390.tif 000005
【図４】
2007028390.tif 000006
【図５】
2007028390.tif 000007
【図６】
2007028390.tif 000008